(57)【要約】【課題】本発明は、光ファイバ線路網における光ファイバ線路の切り替えを容易に行うことを目的とする。【解決手段】本発明は、本発明に係る光ファイバ線路網試験方法は、網側光送受信装置２６０と加入者側光送受信装置２１０との間で光信号を送受信している途中に、現用の光ファイバ線路２３０の接続されている２つの光分岐手段２５０、２２０の間に現用の光ファイバ線路２３０と並列に予備用の光ファイバ線路２４０を接続して、網側光送受信装置２６０と加入者側光送受信装置２１０との間で光信号の送受信が異常になったことをもって、予備用の光ファイバ線路２４０が正常に接続されたことを確認する。【選択図】図１
2008306671.tif 000002
【特許請求の範囲】
【請求項１】
光ファイバ線路に接続され、１対Ｐ（Ｐは２以上の整数）に光を分岐する第一の光分岐手段と、
前記第一の光分岐手段の分岐された１つの端子に接続される現用の光ファイバ線路と、
分岐された１つの端子が前記現用の光ファイバ線路に接続されるＭ対Ｎ（Ｍは２以上の整数、Ｎは１以上の整数）に光を分岐する第二の光分岐手段と、
を備えることを特徴とする光ファイバ線路網。
【請求項２】
前記第二の光分岐手段は、２対１に光を分岐する光カプラであることを特徴とする請求項１に記載の光ファイバ線路網。
【請求項３】
前記第二の光分岐手段は、２対Ｎに光を分岐する光スプリッタであることを特徴とする請求項１に記載の光ファイバ線路網。
【請求項４】
前記第一の光分岐手段の分岐された他の端子と前記第二の光分岐手段の分岐された他の端子との間に接続される予備用の光ファイバ線路をさらに備えることを特徴とする請求項１から３のいずれかに記載の光ファイバ線路網。
【請求項５】
請求項１から４のいずれかに記載の光ファイバ線路網を試験する光ファイバ線路網試験システムであって、
請求項１から４のいずれかに記載の光ファイバ線路網を含む光線路網の両端に接続されるそれぞれの光送受信装置のうちの一方から、それぞれの光送受信装置間の送受信状態が正常であることを受信し、前記光ファイバ線路網の第一の光分岐手段の分岐された他の端子と前記光ファイバ線路網の第二の光分岐手段の分岐された他の端子との間に予備用の光ファイバ線路を接続した後、前記光ファイバ線路網の両端に接続されるそれぞれの光送受信装置のうちの一方から、それぞれの光送受信装置間の送受信状態が異常であることを受信することによって、前記予備用の光ファイバ線路が正常に接続されたと判定する光ファイバ線路網試験装置を含むことを特徴とする光ファイバ線路網試験システム。
【請求項６】
さらに携帯端末を備え、
前記光ファイバ線路網試験装置が、判定した接続状況又は前記それぞれの光送受信装置間の送受信状況を当該携帯端末に送信することを特徴とする請求項５に記載の光ファイバ線路網試験システム。
【請求項７】
光ファイバ線路に接続され、１対Ｐ（Ｐは２以上の整数）に光を分岐する第一の光分岐手段と、前記第一の光分岐手段の分岐された１つの端子に接続される現用の光ファイバ線路と、分岐された１つの端子が前記現用の光ファイバ線路に接続されるＭ対Ｎ（Ｍは２以上の整数、Ｎは１以上の整数）に光を分岐する第二の光分岐手段と、を備える光ファイバ線路網を試験する光ファイバ線路網試験方法であって、
前記光ファイバ線路網の両端に接続されるそれぞれの光送受信装置のうちの一方から、それぞれの光送受信装置間の送受信状態が正常であることを受信し、前記第一の光分岐手段の分岐された他の端子と前記第二の光分岐手段の分岐された他の端子との間に予備用の光ファイバ線路を接続した後、前記光ファイバ線路網の両端に接続されるそれぞれの光送受信装置のうちの一方から、それぞれの光送受信装置間の送受信状態が異常であることを受信することによって、前記予備用の光ファイバ線路が正常に接続されたと判定することを特徴とする光ファイバ線路網試験方法。
【請求項８】
前記予備用の光ファイバ線路が正常に接続されたとの判定、又は、前記それぞれの光送受信装置間の送受信状態を携帯端末に送信することを特徴とする請求項７に記載の光ファイバ線路網試験方法。
【発明の詳細な説明】
【技術分野】
【０００１】
本発明は、光ファイバ線路を切り替える技術に関し、特に、光ファイバ線路の切り替えが正常に行えたかを試験する技術に関する。
【背景技術】
【０００２】
近年のインターネット利用者の拡大とＴＶ電話や映像配信といったブロードバンドアプリケーションの普及により、アクセスネットワークにも光ファイバ等の光ファイバ線路を用いた光ファイバ線路網が利用され始めている。経済的な観点から、ＰＯＮ（Ｐａｓｓｉｖｅ  Ｏｐｔｉｃａ１  Ｎｅｔｗｏｒｋ）型による光ファイバ線路網の構築が広く用いられている。このような光ファイバ線路網の切替方法が提案されている（例えば、特許文献１を参照。）。
【０００３】
一般的に光ファイバ線路網による通信サービスの提供形態は、通信事業者の拠点（以下、「セントラルオフィス」と記す。）にＯＬＴ（Ｏｐｔｉｃａｌ  Ｌｉｎｅ  Ｔｅｒｍｉｎａｌ）を設置し、加入者宅にＯＮＵ（Ｏｐｔｉｃａｌ  Ｎｅｔｗｏｒｋ  Ｕｎｉｔ）を設置して、セントラルオフィス内に配置した光成端架を介して、屋外の光ファイバ線路網に接続されている。また、ＰＯＮ型の光ファイバ線路網では、電柱上などで光スプリッタに接続し、光信号を分岐して伝達する形態もある。
【０００４】
さらに、ＰＯＮ型の光ファイバ線路網及びＳＳ（Ｓｉｎｇｌｅ  Ｓｔａｒ）型の光ファイバ線路網の場合、加入者宅の外側壁面等に光キャビネットを設置し、屋外の光ファイバ線路網から屋内への光配線を光キャビネット内で接続する形態がとられる場合がある。セントラルオフィスに配置されているＯＬＴと加入者宅の屋内に配置されているＯＮＵとの間で光信号が送受信される。このようにセントラルオフィスから加入者宅まで、光ファイバ線路網によって通信サービスは提供される。
【０００５】
【特許文献１】特開昭６２−２４８３２５号公報
【発明の開示】
【発明が解決しようとする課題】
【０００６】
通信サービスを提供している間、例えば、道路工事や橋の改修等で、屋外の光ファイバ線路網の一部の経路変更（切り替え）を余儀なくされるケースがある。図５に、従来の光ファイバ線路網における光ファイバ線路の切り替えの手順を示す。光ファイバ線路網において光ファイバ線路の切り替えを行う場合、現用で使用している光ファイバ線路とは異なる予備用の光ファイバ線路を確保し（図５のＳ２０１）、現用で使用している光ファイバ線路を切断して新しい経路の光ファイバ線路に融着接続又はメカニカルスプライス等により接続し直す必要がある。光ファイバ線路の切り替えには、現用で使用している光ファイバ線路の確認や光ファイバ線路の切断（図５のＳ２０２）、さらに、新しい光ファイバ線路の再接続（図５のＳ２０３）の作業が必要なため、切り替え期間中の加入者宅への通信サービスは停止する。このサービス停止の期間は、最短でも１時間程度に及んでしまう。また、光ファイバ線路網の形態によっては、経路の切り替えに伴うサービス停止期間がより長時間に及ぶ場合がある。また、光ファイバ線路の一部の変更を実施する場合には、基本的に経路上の異なる２点で光ファイバ線路の切り替えが必要になるので、２点間に切り替えを行う人員を同時に配置しなければならない問題があった。
【０００７】
本発明は、光ファイバ線路網における光ファイバ線路の切り替えを容易に行うことを目的とする。
【課題を解決するための手段】
【０００８】
上記目的を達成するために、本発明に係る光ファイバ線路網は、ＯＬＴとＯＮＵとの間で光信号を送受信している途中に、現用の光ファイバ線路と並列に予備用の光ファイバ線路を接続して、光信号の送受信が異常になったことをもって、予備用の光ファイバ線路が正常に接続されたことを確認する。
【０００９】
具体的には、本発明に係る光ファイバ線路網は、光ファイバ線路に接続され、１対Ｐ（Ｐは２以上の整数）に光を分岐する第一の光分岐手段と、前記第一の光分岐手段の分岐された１つの端子に接続される現用の光ファイバ線路と、分岐された１つの端子が前記現用の光ファイバ線路に接続されるＭ対Ｎ（Ｍは２以上の整数、Ｎは１以上の整数）に光を分岐する第二の光分岐手段と、を備える。
【００１０】
上記光ファイバ線路網は、光ファイバ線路の切り替えを容易に行うことができる。
【００１１】
本発明に係る光ファイバ線路網では、前記第二の光分岐手段は、２対１に光を分岐する光カプラであることが好ましい。つまり、Ｍ＝２、Ｎ＝１である。
【００１２】
上記光ファイバ線路網は、効率的に現用の光ファイバ線路から予備用の光ファイバ線路に切り替えることができる。
【００１３】
本発明に係る光ファイバ線路網では、前記第二の光分岐手段は、２対Ｎに光を分岐する光スプリッタであることが好ましい。つまり、Ｍ＝２であり、Ｎは２以上が好ましい。
【００１４】
上記光ファイバ線路網では、ＰＯＮ型の光ファイバ線路網に使用される光スプリッタと兼用することができ、光線路設備の有効利用を図ることができる。
【００１５】
本発明に係る光ファイバ線路網では、前記第一の光分岐手段の分岐された他の端子と前記第二の光分岐手段の分岐された他の端子との間に接続される予備用の光ファイバ線路をさらに備えることが好ましい。
【００１６】
上記光ファイバ線路網は、効率的に現用の光ファイバ線路から予備用の光ファイバ線路に切り替えることができる。
【００１７】
具体的には、本発明に係るファイバ線路網試験システムは、上記いずれかに記載の光ファイバ線路網を試験する光ファイバ線路網試験システムであって、上記いずれかに記載の光ファイバ線路網を含む光線路網の両端に接続されるそれぞれの光送受信装置のうちの一方から、それぞれの光送受信装置間の送受信状態が正常であることを受信し、前記光ファイバ線路網の第一の光分岐手段の分岐された他の端子と前記光ファイバ線路網の第二の光分岐手段の分岐された他の端子との間に予備用の光ファイバ線路を接続した後、前記光ファイバ線路網の両端に接続されるそれぞれの光送受信装置のうちの一方から、それぞれの光送受信装置間の送受信状態が異常であることを受信することによって、前記予備用の光ファイバ線路が正常に接続されたと判定する光ファイバ線路網試験装置を含む。
【００１８】
上記光ファイバ線路網試験システムは、光ファイバ線路網における光ファイバ線路の切り替えを容易に行うことができる。
【００１９】
本発明に係る光ファイバ線路網試験システムでは、さらに携帯端末を備え、前記光ファイバ線路網試験装置が、判定した接続状況又は前記それぞれの光送受信装置間の送受信状態を当該携帯端末に送信することが好ましい。
【００２０】
上記光ファイバ線路網試験システムは、光ファイバ線路網における光ファイバ線路の切り替えをより容易に行うことができる。
【００２１】
具体的には、本発明に係る光ファイバ線路網試験方法は、光ファイバ線路に接続され、１対Ｐ（Ｐは２以上の整数）に光を分岐する第一の光分岐手段と、前記第一の光分岐手段の分岐された１つの端子に接続される現用の光ファイバ線路と、分岐された１つの端子が前記現用の光ファイバ線路に接続されるＭ対Ｎ（Ｍは２以上の整数、Ｎは１以上の整数）に光を分岐する第二の光分岐手段と、を備える光ファイバ線路網を試験する光ファイバ線路網試験方法であって、前記光ファイバ線路網の両端に接続されるそれぞれの光送受信装置のうちの一方から、それぞれの光送受信装置間の送受信状態が正常であることを受信し、前記第一の光分岐手段の分岐された他の端子と前記第二の光分岐手段の分岐された他の端子との間に予備用の光ファイバ線路を接続した後、前記光ファイバ線路網の両端に接続されるそれぞれの光送受信装置のうちの一方から、それぞれの光送受信装置間の送受信状態が異常であることを受信することによって、前記予備用の光ファイバ線路が正常に接続されたと判定することを特徴とする。
【００２２】
上記光ファイバ線路網試験方法は、光ファイバ線路網における光ファイバ線路の切り替えを容易に行うことができる。
【００２３】
本発明に係る光ファイバ線路網試験方法では、前記予備用の光ファイバ線路が正常に接続されたとの判定、又は、それぞれの光送受信装置間の送受信状態を携帯端末に送信することが好ましい。
【００２４】
上記光ファイバ線路網試験方法は、光ファイバ線路網における光ファイバ線路の切り替えをより容易に行うことができる。
【発明の効果】
【００２５】
本発明により、光ファイバ線路網における光ファイバ線路の切り替えを容易に行うことができる。
【発明を実施するための最良の形態】
【００２６】
添付の図面を参照して本発明の実施の形態を説明する。以下に説明する実施の形態は本発明の構成の例であり、本発明は、以下の実施の形態に制限されるものではない。また、同一機能及び同一回路には同一符号を付した。
【００２７】
図１（ａ）１、図１（ｂ）に、本実施形態に係る光ファイバ線路網及び光ファイバ線路網試験システムの第一形態の概略図を示した。本実施形態に係る光ファイバ線路網は、光ファイバ線路２７０に接続され、１対Ｐ（Ｐは２以上の整数）に光を分岐する第一の光分岐手段２５０と、第一の光分岐手段２５０の分岐された１つの端子に接続される現用の光ファイバ線路２３０と、分岐された１つの端子が前記現用の光ファイバ線路２３０に接続されるＭ対Ｎ（Ｍは２以上の整数、Ｎは１以上の整数）に光を分岐する第二の光分岐手段２２０とを備える。本実施形態では、第一の光分岐手段２５０として１対２に光を分岐する光カプラを利用し、第二の光分岐手段２２０として２対１に光を分岐する光カプラを利用している。つまり、Ｐ＝２、Ｍ＝２、Ｎ＝１である。
【００２８】
また、本実施形態に係る光ファイバ線路網試験装置１００は、光ファイバ線路網を含む光線路網の両端に接続される光送受信装置である網側光送受信装置（ＯＬＴ）２６０及び加入者側光送受信装置（ＯＮＵ）２１０のうちのＯＬＴ２６０から、ＯＬＴ−ＯＮＵ間の送受信状態を受信し、通信状況を確認する。
【００２９】
図１では、１個の加入者側光送受信装置２１０を示したが、２個以上であっても良い。例えば、ＰＯＮ型の光ファイバ線路網では、光スプリッタで分岐された光ファイバ線路の先にそれぞれ加入者側光送受信装置（ＯＮＵ）が接続される。
【００３０】
本実施形態に係る光ファイバ線路網では、第二の光分岐手段２２０は柱上に設置されても、加入者宅の光キャビネットに設置されてもよい。また、２対１に光を分岐する光カプラに替えて、２対Ｎ（Ｎは２以上の整数）に光を分岐する光スプリッタとしてもよい。特に、ＰＯＮ型の光ファイバ線路網では光を分岐する光スプリッタを使用するため、この光スプリッタを２対Ｎの光スプリッタとすることによって、ＰＯＮ型の光ファイバ線路網に使用される光スプリッタと光ファイバ線路網試験用の光スプリッタを兼用して構成要素を簡略にすることができる。この場合、Ｎ＝４、８、１６、３２等が例示できる。
【００３１】
第一の光分岐手段２５０は屋外に設置されても、セントラルオフィス内の光成端架内に設置されてもよい。
【００３２】
第二の光分岐手段２２０は、例えば、２個端子を備え、１個の端子（現用端子）は現用の光ファイバ線路２３０が接続され、もう１個の端子（予備用端子）は光ファイバ線路の切り替えが発生した場合の予備用の光ファイバ線路２４０が接続される。この予備用端子には、必要に応じて反射光を減衰する無反射端を接続しておいても良い。
【００３３】
第一の光分岐手段２５０は、例えば、２個端子を備え、１個の端子（現用端子）は現用の光ファイバ線路２３０が接続され、もう１個の端子（予備用端子）は光ファイバ線路の切り替えが発生した場合の予備用の光ファイバ線路２４０が接続される。この予備用端子には、必要に応じて反射光を減衰する無反射端を接続しておいても良い。
【００３４】
現用の光ファイバ線路２３０及び予備用の光ファイバ線路２４０は、それぞれ光ファイバを束ねた光ケーブルとして敷設されている。図１の光ファイバ線路網では、現用の光ファイバ線路２３０を用いて光信号を送受信している。また、予備用の光ファイバ線路２４０は両端が何も接続されておらず、現用の光ファイバ線路２３０を切り替える場合に第一の光分岐手段２５０及び第二の光分岐手段２２０のそれぞれの予備用端子に接続される。
【００３５】
加入者側光送受信装置（ＯＮＵ）２１０と第二の光分岐手段２２０は、光ファイバ線路２７０で接続される。また、第一の光分岐手段２５０と網側光送受信装置（ＯＬＴ）２６０は、光ファイバ線路２７１で接続される。
【００３６】
光ファイバ線路網試験装置１００は、網側光送受信装置（ＯＬＴ）２６０に接続される。光ファイバ線路網試験装置１００は、光信号の送受信が正常に行われているかどうかは、加入者側光送受信装置（ＯＮＵ）２１０と網側光送受信装置（ＯＬＴ）２６０との間の送受信状態から確認することができる。送受信状態は、ＯＮＵからの光送信信号のレベルが正常であるか、ＯＮＵからの光送信信号からクロックを抽出できるか、又はＯＮＵからの光送信信号の誤りが少ないか、ＯＮＵへのループバックが正常に実施できるかによって確認することができる。加入者側光送受信装置（ＯＮＵ）２１０と網側光送受信装置（ＯＬＴ）２６０との間の送受信状態は、光ファイバ線路網試験装置１００をＯＬＴ２６０に接続してＯＬＴ２６０から確認してもよいし、ＯＮＵ２１０に接続してＯＮＵ２１０から確認してもよい。図１では、光ファイバ線路網試験装置１００をＯＬＴ２６０に接続してＯＬＴ２６０から確認している。光ファイバ線路網試験装置１００は、ＯＬＴ２６０とＯＮＵ２１０との間の送受信状態が正常であることをＯＬＴ２６０から受信し、光ファイバ線路網の第一の光分岐手段２５０の分岐された他の端子と第二の光分岐手段２２０の分岐された他の端子との間に予備用の光ファイバ線路２４０を接続した後、ＯＬＴ２６０とＯＮＵ２１０との間の送受信状態が異常であることをＯＬＴ２６０から受信することによって、前記予備用の光ファイバ線路が正常に接続されたと判定する。
【００３７】
以下、光ファイバ線路の切り替えが必要になった場合の手順について説明する。図２に、本実施形態に係る光ファイバ線路網の光ファイバ線路の切り替えの手順を示す。
【００３８】
本実施形態に係る光ファイバ線路網試験方法は、網側光送受信装置（ＯＬＴ）２６０又は加入者側光送受信装置（ＯＮＵ）２１０のうちの一方から、それぞれの光送受信装置間の送受信状態が正常であることを受信し、第一の光分岐手段２５０の分岐された予備用端子と第二の光分岐手段２２０の分岐された予備用端子との間に予備用の光ファイバ線路２４０を接続した後、網側光送受信装置（ＯＬＴ）又は加入者側光送受信装置（ＯＮＵ）２１０のうちの一方から、それぞれの光送受信装置間の送受信状態が異常であることを受信することによって、予備用の光ファイバ線路２４０が正常に接続されたと判定する。図２には、ステップＳ１０１、Ｓ１０２、Ｓ１０３、Ｓ１０４、Ｓ１０５、Ｓ１０６を示した。
【００３９】
まず、現用の光ファイバ線路２３０を切り替える必要が生じたときに、予備用の光ファイバ線路２４０を確保する（ステップＳ１０１）。このとき、予備用の光ファイバ線路２４０は、第一の光分岐手段２５０及び第二の光分岐手段２２０に接続されていない。
【００４０】
現用の光ファイバ線路２３０を経由して加入者側光送受信装置（ＯＮＵ）２１０と網側光送受信装置（ＯＬＴ）２６０との間で正常に光信号が送受信できるか確認する（ステップＳ１０２）。なお、ステップＳ１０１とステップ１０２は順番が逆でもよい。
【００４１】
次に、第一の光分岐手段２５０の予備用端子と第二の光分岐手段２２０の予備用端子との間に予備用の光ファイバ線路２４０を接続する（ステップＳ１０３）。
【００４２】
第一の光分岐手段２５０の予備用端子と第二の光分岐手段２２０の予備用端子との間に予備用の光ファイバ線路２４０を接続した後、光ファイバ線路網試験装置１００は、加入者側光送受信装置（ＯＮＵ）２１０と網側光送受信装置（ＯＬＴ）２６０との間の送受信状態が正常か否かを確認する（ステップＳ１０４）。図１（ａ）のように、第一の光分岐手段２５０の予備用端子と第二の光分岐手段２２０の予備用端子との間に正常に予備用の光ファイバ線路２４０が接続されると、現用の光ファイバ線路と予備用の光ファイバ線路の長さの異なる２ルートで光信号が送受信されることから、正常な送受信が出来なくなる。
【００４３】
光ファイバ線路網試験装置１００は、加入者側光送受信装置（ＯＮＵ）２１０と網側光送受信装置（ＯＬＴ）２６０との間の送受信状態が異常であると確認すると、この確認よって予備用の光ファイバ線路２４０が正常に接続されたと判定する。次の段階で、第一の光分岐手段２５０の現用端子と第二の光分岐手段２２０の現用端子との間に接続されていた現用の光ファイバ線路２３０を切り離す（ステップＳ１０５）。
【００４４】
予備用の光ファイバ線路２３０から現用の光ファイバ線路２２０に切り戻すときも同様の手順を踏んで、予備用の光ファイバ線路２３０を切り離す。
【００４５】
図１（ｂ）に示すように、第一の光分岐手段２５０の予備用端子と第二の光分岐手段２２０の予備用端子にそれぞれ異なる予備用の光ファイバ線路２４０−１、２４０−２を接続すると、加入者側光送受信装置（ＯＮＵ）２１０と網側光送受信装置（ＯＬＴ）２６０との間の送受信状態が正常のままである。従って、予備用の光ファイバ線路２４０−１、２４０−２の接続する第一の光分岐手段２５０又は第二の光分岐手段２２０を再度確認して、接続する予備用の光ファイバ線路２４０−１、２４０−２を変更する（ステップＳ１０６）。その後、同じ手順を繰り返す。
【００４６】
以上説明したように、加入者側光送受信装置（ＯＮＵ）と網側光送受信装置（ＯＬＴ）との間で光通信が行えなくなるのは、第一の光分岐手段２５０の予備用端子又は第二の光分岐手段２２０の予備用端子に予備用の光ファイバ線路２４０を接続してから、現用端子から現用の光ファイバ線路２３０を切り離すまでの時間なので、切り替えに要する時間が短く、容易な切り替えが可能である。また、光ファイバ線路網試験装置１００により上記作業を容易に行うことができる。
【００４７】
光ファイバ線路網試験システムは、携帯端末をさらに備え、判定した接続状況又は加入者側光送受信装置（ＯＮＵ）と網側光送受信装置（ＯＬＴ）との間の送受信状況を当該携帯端末に送信することが好ましい。
【００４８】
本実施形態に係る光ファイバ線路網試験方法では、ステップＳ１０４において、判定した接続状況又は加入者側光送受信装置（ＯＮＵ）と網側光送受信装置（ＯＬＴ）との間の送受信状況をさらに携帯端末に送信することが好ましい。
【００４９】
図３に、本実施形態に係る光ファイバ線路網及び光ファイバ線路網試験システムの第２形態の概略図を示した。図３において、携帯端末３００は、光ファイバ線路網試験システムの一部である。本実施形態に係る光ファイバ線路網試験装置１００は、判定した接続状況をさらに携帯端末３００に送信することが好ましい。光ファイバ線路網試験装置１００は、例えば、インターネットや無線通信により、携帯電話、ＰＤＡ、ノートパソコン等の携帯端末３００に判定した通信状況を送信する。携帯端末を作業員が所持することにより、遠隔地の作業員が試験結果を知ることができる。このため、切り替え作業の際、作業員を予め第一の光分岐手段又は第二の光分岐手段の近くに待機させておくことが可能となり、切り替え作業をより容易にし、切り替え作業に要する時間をより短縮できる。
【００５０】
図４に、本実施形態に係る光ファイバ線路網試験システム１０１及び光ファイバ線路網試験装置１００の概略図を示した。光ファイバ線路網試験装置１００は、例えば、通信回路１１０、ＯＮＵ管理回路１２０、ＯＬＴ制御回路１３０及び試験回路１４０を備える。通信回路１１０は、携帯端末３００と通信する機能を有する。ＯＮＵ管理回路１２０は、光ファイバ線路網下のそれぞれの加入者側光送受信装置（不図示）に割り当てられたＩＤを管理する。ＯＬＴ制御回路１３０は、網側送受信装置（不図示）の光信号を送信させる等の制御を行う。試験回路１４０は、上記の試験を制御する。ここで、通信回路１１０、ＯＮＵ管理回路１２０及び試験回路１４０を備える光ファイバ線路網試験支援装置として独立して構成してもよいし、ＯＬＴ制御装置の一部として構成してもよい。
【００５１】
通信回路１１０から携帯端末３００に対しては、予備用の光ファイバ線路が新たに接続されることによって、網側光送受信装置と加入者側光送受信装置の間の送信状態が正常でなくなったことをもって、予備用の光ファイバ線路が正常に接続された旨を送信してもよいし、予備用の光ファイバ線路が新たに接続されることによって、網側光送受信装置と加入者側光送受信装置の間の送信状態が正常から異常になったことを直接的に送信してもよい。いずれの場合でも、携帯端末３００では予備用の光ファイバが正常に接続されたか否かを知ることができる。
【００５２】
（切り替え作業の人員削減効果）
本発明は、以下の効果を奏する。従来では、通常、光ファイバ線路の切り替え地点の２箇所に作業者を各々配置し、光ファイバ線路を切り替える必要があった。一方、本発明では、第一の光分岐手段又は第二の光分岐手段のいずれか１箇所に作業員を配置すれば光ファイバ線路の切り替えが可能となる。例えば、切り替え作業に要する作業員を２人から１人に削減が可能となる。
【００５３】
（切り替え作業の時間短縮効果）
本発明では、加入者側光送受信装置（ＯＮＵ）と網側光送受信装置（ＯＬＴ）の通信ができない時間を短縮できる。具体的に、従来では、光ケーブルの２箇所で光ファイバ線路の切断、切り替え後の光ファイバ線路の確認、及び、切り替え後の光ファイバ線路の再接続の３工程分の時間が必要であった。一方、本発明では、第一の光分岐手段の予備用端子と第二の光分岐手段の予備用端子との間に接続する予備用の光ファイバ線路を、現用の光ファイバ線路を使用する光通信に何の影響も与えることなく予め準備することができる。また、第一の光分岐手段の予備用端子と第二の光分岐手段の予備用端子との間に予備用の光ファイバ線路を接続した時から、予備用の光ファイバ線路の接続状態の判定、及び、現用の光ファイバ線路を切り離すという２工程で切り替え作業が終了する。特に、最も時間を要する切り替え後の光ファイバ線路の再接続の工程が本発明では不要になり、切り替え作用の時間が短縮でき、通信途絶時間の短縮が可能となる、さらに、利用者の都合にあわせた切り替え作業のスケジュールの調整が容易になる。
【００５４】
（接続確認の簡便性）
本発明では、現用の光ファイバ線路を切り離す前に、第一の光分岐手段の予備用端子と第二の光分岐手段の予備用端子との間に予備用の光ファイバ線路を接続することで、２つの光ファイバ線路で送受信する状態になる。この状態では、正常な送受信ができず、直ちに予備用の光ファイバ線路が正常に接続されていることが確認できる。以上のような簡便な方法で、網側光送受信装置（ＯＬＴ）から加入者側光送受信装置（ＯＮＵ）までの物理的な光ファイバ線路の正常な接続が確認できる。
【産業上の利用可能性】
【００５５】
本発明に係る、光ファイバ線路網、光ファイバ線路網試験システム及び光ファイバ線路網試験方法は、光アクセス網に適用することができる。
【図面の簡単な説明】
【００５６】
【図１】本実施形態に係る光ファイバ線路網及び光ファイバ線路網試験システムの実施形態の概略図である。
【図２】本実施形態に係る光ファイバ線路網の切り替えの手順を示す図である。
【図３】本実施形態に係る光ファイバ線路網及び光ファイバ線路網試験システムの実施形態の概略図である。
【図４】本実施形態に係る光ファイバ線路網試験システムの概略図である。
【図５】従来の光ファイバ線路網の切り替えの手順を示す図である。
【符号の説明】
【００５７】
１００  光ファイバ線路網試験装置
１０１  光ファイバ線路網試験システム
１１０  通信回路
１２０  ＯＮＵ管理回路
１３０  ＯＬＴ制御回路
１４０  試験回路
２１０  加入者側光送受信装置
２２０  第二の光分岐手段
２３０  現用の光ファイバ線路
２４０、２４０−１、２４０−２  予備用の光ファイバ線路
２５０  第一の光分岐手段
２６０  網側光送受信装置
２７０、２７１  光ファイバ線路
３００  携帯端末
【図１】
2008306671.tif 000003
【図２】
2008306671.tif 000004
【図３】
2008306671.tif 000005
【図４】
2008306671.tif 000006
【図５】
2008306671.tif 000007